【手続補正書】
【提出日】平成24年1月19日(2012.1.19)
【手続補正１】
【補正対象書類名】特許請求の範囲
【補正対象項目名】全文
【補正方法】変更
【補正の内容】
【特許請求の範囲】
【請求項１】
動物から得た組織試料中のタンパク質のレベルを測定する工程であって、該タンパク質が、アポトーシス、血管形成、免疫調節、細胞周期発達、およびそれらの組み合わせからなる群より選択される細胞過程に関係している、前記工程；
該組織試料中の該タンパク質のレベルをベースライン値と比較する工程；ならびに
該組織試料が癌性であるか否かを判定する工程
を含む方法。
【請求項２】
前記タンパク質が、アポトーシスに関係しており、Bcl-2、Bax、p53、Bid、カスパーゼ-3、およびシトクロムcからなる群より選択される、請求項1記載の方法。
【請求項３】
アポトーシスの減少が、Bcl-2の増加、Baxの減少、Bidの減少、カスパーゼ-3の減少、およびシトクロムCの減少によって示される、請求項2記載の方法。
【請求項４】
前記タンパク質が、血管形成に関係しており、VEGF、HIF-1α、bFGF、およびアンジオスタチンからなる群より選択される、請求項1記載の方法。
【請求項５】
血管形成の減少が、VEGFの減少、HIF-1αの減少、bFGFの減少、およびアンジオスタチンの増加によって示される、請求項4記載の方法。
【請求項６】
前記タンパク質が、免疫調節に関係しており、TNF-αおよびIL-6からなる群より選択される、請求項1記載の方法。
【請求項７】
腫瘍進行が、IL-6の増加によって示される、請求項6記載の方法。
【請求項８】
前記タンパク質が、細胞周期に関係しており、p21およびp27からなる群より選択される細胞周期因子を含む、請求項1記載の方法。
【請求項９】
腫瘍進行が、p21の減少またはp27の減少によって示される、請求項8記載の方法。
【請求項１０】
ベースラインが、前記タンパク質の既知のレベルを含む、請求項1記載の方法。
【請求項１１】
ベースラインが、以前に前記動物から得た試料より得られる、請求項1記載の方法。
【請求項１２】
前記組織試料が癌性であるか否かの判定が、該組織試料中の腫瘍原性の全体的なレベルを査定する工程を含む、請求項1記載の方法。
【請求項１３】
前記組織試料が癌性であるか否かの判定が、腫瘍の進行を判定する工程を含む、請求項1記載の方法。
【請求項１４】
前記組織試料が癌性であるか否かの判定が、癌処置の効率を決定する工程をさらに含む、請求項1記載の方法。
【請求項１５】
請求項1記載の方法を実施するための、システム。
【請求項１６】
命令が、組織試料中のタンパク質のレベルをベースライン値と比較する工程；および該組織試料が癌性であるか否かを判定する工程を含む、少なくとも1つのプロセッサーによって実行可能な該命令のセットを記憶するよう構成されたコンピュータ可読媒体に接続された少なくとも1つの該プロセッサー
をさらに含む、請求項15記載のシステム。
【請求項１７】
請求項1記載の方法を実施するための、キット。
【請求項１８】
前記組織試料中の前記タンパク質を測定するためのELISA法をさらに含む、請求項17記載のキット。
【請求項１９】
前記組織試料中の前記タンパク質のレベルを前記ベースライン値と比較するためのソフトウェアをさらに含む、請求項17記載のキット。
【請求項２０】
動物から得た組織試料中のたんぱく質のレベルを測定するためのアッセイ法であって、該タンパク質がアポトーシス、血管形成、免疫調節、細胞周期発達、およびそれらの組み合わせからなる群より選択される細胞過程に関係している、前記アッセイ法と；
命令が、該組織試料中の該タンパク質のレベルをベースライン値と比較する工程；および該組織試料が癌性であるか否かを判定する工程を含む、少なくとも1つのプロセッサーによって実行可能な該命令のセットを記憶するよう構成されたコンピュータ可読媒体に接続された少なくとも1つの該プロセッサーと
を含む、システム。
【手続補正２】
【補正対象書類名】明細書
【補正対象項目名】０００６
【補正方法】変更
【補正の内容】
【０００６】
そのようなキットおよびシステムを用いる方法も、提供される。態様において、本開示の方法は、癌の腫瘍原性の査定、腫瘍の進行の判定、癌処置の効率の決定、それらの組み合わせ等によって、組織試料の癌性を判定するための方法を含み得る。
[本発明1001]
動物から組織試料を得る工程；
アポトーシス、血管形成、免疫調節、細胞周期発達、およびそれらの組み合わせからなる群より選択される細胞過程に関係しているタンパク質の該組織試料中のレベルを測定する工程；
該組織試料中の該タンパク質のレベルをベースライン値と比較する工程；ならびに
該組織試料が癌性であるか否かを判定する工程
を含む方法。
[本発明1002]
前記タンパク質が、アポトーシスに関係しており、Bcl-2、Bax、p53、Bid、カスパーゼ-3、およびシトクロムcからなる群より選択される、本発明1001の方法。
[本発明1003]
アポトーシスの減少が、Bcl-2の増加、Baxの減少、Bidの減少、カスパーゼ-3の減少、およびシトクロムCの減少によって示される、本発明1002の方法。
[本発明1004]
前記タンパク質が、血管形成に関係しており、VEGF、HIF-1α、bFGF、およびアンジオスタチンからなる群より選択される、本発明1001の方法。
[本発明1005]
血管形成の減少が、VEGFの減少、HIF-1αの減少、bFGFの減少、およびアンジオスタチンの増加によって示される、本発明1004の方法。
[本発明1006]
前記タンパク質が、免疫調節に関係しており、TNF-αおよびIL-6からなる群より選択される、本発明1001の方法。
[本発明1007]
腫瘍進行が、IL-6の増加によって示される、本発明1006の方法。
[本発明1008]
前記タンパク質が、細胞周期に関係しており、p21およびp27からなる群より選択される細胞周期因子を含む、本発明1001の方法。
[本発明1009]
腫瘍進行が、p21の減少またはp27の減少によって示される、本発明1008の方法。
[本発明1010]
ベースラインが、前記タンパク質の既知のレベルを含む、本発明1001の方法。
[本発明1011]
ベースラインが、以前に前記動物から得た試料より得られる、本発明1001の方法。
[本発明1012]
前記組織試料が癌性であるか否かの判定が、該組織試料中の腫瘍原性の全体的なレベルを査定する工程を含む、本発明1001の方法。
[本発明1013]
前記組織試料が癌性であるか否かの判定が、腫瘍の進行を判定する工程を含む、本発明1001の方法。
[本発明1014]
前記組織試料が癌性であるか否かの判定が、癌処置の効率を決定する工程をさらに含む、本発明1001の方法。
[本発明1015]
本発明1001の方法を実施するための、システム。
[本発明1016]
命令が、組織試料中のタンパク質のレベルをベースライン値と比較する工程；および該組織試料が癌性であるか否かを判定する工程を含む、少なくとも1つのプロセッサーによって実行可能な該命令のセットを記憶するよう構成されたコンピュータ可読媒体に接続された少なくとも1つの該プロセッサー
をさらに含む、本発明1015のシステム。
[本発明1017]
本発明1001の方法を実施するための、キット。
[本発明1018]
前記組織試料中の前記タンパク質を測定するためのELISA法をさらに含む、本発明1017のキット。
[本発明1019]
前記組織試料中の前記タンパク質のレベルを前記ベースライン値と比較するためのソフトウェアをさらに含む、本発明1017のキット。
[本発明1020]
アポトーシス、血管形成、免疫調節、細胞周期発達、およびそれらの組み合わせからなる群より選択される細胞過程に関係しているタンパク質の組織試料中のレベルを測定するためのアッセイ法と；
命令が、該組織試料中の該タンパク質のレベルをベースライン値と比較する工程；および該組織試料が癌性であるか否かを判定する工程を含む、少なくとも1つのプロセッサーによって実行可能な該命令のセットを記憶するよう構成されたコンピュータ可読媒体に接続された少なくとも1つの該プロセッサーと
を含む、システム。